(57)【要約】  【課題】より大きい設計フレキシビリティを有しコストを低減したガスケットを提供する。  【解決手段】ワイヤスクリーンを含むガスケットを構成する。エラストマー材料でワイヤスクリーンを被覆する。ワイヤスクリーンの使用によって、ガスケットのコストが低減され、他方、耐久性および設計フレキシビリティが改善される。  【選択図】図１
2006010075.tif 000002
【特許請求の範囲】
【請求項１】
下記，即ち，
スクリーンと，
スクリーンを埋込むエラストマー材料と，
を含むガスケット。
【請求項２】
更に、スクリーンおよびエラストマー材料に設けた開口を含むことを特徴とする請求項１のガスケット。
【請求項３】
更に、開口に隣接する少なくとも１つの注形密封リブを含むことを特徴とする請求項２のガスケット。
【請求項４】
少なくとも１つの注形密封リブが、開口を囲むことを特徴とする請求項３のガスケット。
【請求項５】
ガスケットが、第１，第２端部と、第１，第２端部の少なくとも１つに設置された少なくとも１つの取付開口を含むことを特徴とする請求項１のガスケット。
【請求項６】
更に、少なくとも１つの取付開口に隣接する少なくとも１つの注形シェル部分を含むことを特徴とする請求項５のガスケット。
【請求項７】
スクリーンが、開口を介してエラストマー材料を流動させ得る大きさの開口を含むことを特徴とする請求項１のガスケット。
【請求項８】
エラストマー材料が、アクリルニトリル（ＡＣＮ）含量の低いニトリルゴム（ＮＢＲ），ＡＣＮ含量が中程度のＮＢＲ，ＡＣＮ含量の高いＮＢＲ，ブチルクロロブチル，クロロプレン，クロロスルホン酸ポリエチレン，エチレンプロピレン，エピクロルヒドリン，エチレン酢酸ビニル，フルオロシリコーン，フルオロカーボン，水素添加ＮＢＲ，ポリイソプレン，ポリアクリレート，プロピレンオキシド，ポリブタジェン，ポリスルフィド，改質ＮＢＲ，シリコーンおよびスチレンブタジェンゴム（ＳＢＲ）からなるグループから選択されていることを特徴とする請求項１のガスケット。
【請求項９】
エラストマー材料が、熱可塑性エラストマーであることを特徴とする請求項１のガスケット。
【請求項１０】
該ガスケットが、第１面および第２面と，
上記の第１面および第２面の少なくとも１つに形成された複数の注形密封リブと，
を含み、
複数の密封リブのうち第１注形密封リブが、複数の密封リブのうち、第１注形密封リブに隣接する少なくとも１つの第２密封リブよりも大きい高さを有することを特徴とする請求項１のガスケット。
【請求項１１】
下記，即ち，
ワイヤスクリーンと，
ワイヤスクリーンを埋込むエラストマー材料と，
を含むガスケット。
【請求項１２】
ガスケットが、更に、ワイヤスクリーンおよびエラストマー材料に設けた開口を含むことを特徴とする請求項１１のガスケット。
【請求項１３】
更に、エラストマー材料から形成され開口を囲む少なくとも１つの密封リブを含むことを特徴とする請求項１２のガスケット。
【請求項１４】
ガスケットが、更に、上記開口と上記ガスケットのエッジとの間に設置された少なくとも１つの取付開口を含むことを特徴とする請求項２のガスケット。
【請求項１５】
ガスケットが、更に、取付開口に隣接する少なくとも１つの注形シェルを含むことを特徴とする請求項１４のガスケット。
【請求項１６】
エラストマー材料が、熱可塑性エラストマーであることを特徴とする請求項１１のガスケット。
【請求項１７】
エラストマー材料が、アクリルニトリル（ＡＣＮ）含量の低いニトリルゴム（ＮＢＲ），ＡＣＮ含量が中程度のＮＢＲ，ＡＣＮ含量の高いＮＢＲ，ブチルクロロブチル，クロロプレン，クロロスルホン酸ポリエチレン，エチレンプロピレン，エピクロルヒドリン，エチレン酢酸ビニル，フルオロシリコーン，フルオロカーボン，水素添加ＮＢＲ，ポリイソプレン，ポリアクリレート，プロピレンオキシド，ポリブタジェン，ポリスルフィド，改質ＮＢＲ，シリコーンおよびスチレンブタジェンゴム（ＳＢＲ）からなるグループから選択されていることを特徴とする請求項１１のガスケット。
【請求項１８】
少なくとも１つの圧縮リブが、更に、
開口に隣接し且つ開口を囲む第１密封リブと，
第１密封リブに隣接する第２密封リブと，
第２密封リブに隣接する第３密封リブと，
を含み、
第１密封リブが、第２密封リブよりも大きい高さを有し、第２密封リブが、第３密封リブよりも大きい高さを有することを特徴とする請求項１１のガスケット。
【請求項１９】
上記ワイヤスクリーンが、織ったワイヤを含むことを特徴とする請求項１１のガスケット。
【請求項２０】
上記スクリーンが、材料ストランドを含むことを特徴とする請求項１のガスケット。
【発明の詳細な説明】
【技術分野】
【０００１】
本発明は、ガスケットに関し、更に詳細に云えば、エラストマーを被覆したスクリーンガスケットに関する。
【背景技術】
【０００２】
ガスケットは、多年、２つの比較的静的な部材の間に密封接続を形成するために使用されている。ガスケットは、典型的に、ガスケットが有効な密封を達成するよう、密封される部材の間に圧縮荷重を必要とする。例えば、２つの定置の部材（例えば、エンジンブロックおよびオイルパンまたはエンジンシリンダヘッドおよび弁／カム・カバー）の間に設置されたガスケットは、上記部材の間で圧縮されている。
【０００３】
ある種のガスケット構造は、場合によってはポリマー材料で全体的にまたは部分的に被覆された中実の金属コアを有する。中実の金属コアを使用した場合、ガスケットのコストが増大し、金属コアの製造に使用されるスタンピング操作にもとづき厚さが増加する。更に、必要に応じてガスケット形状を変更する場合、新しいスタンピングプレートが必要となり、従って、小規模の設計変更は、コスト的に許容されない。更に、ガスケットを被覆するポリマー材料は、加工し難く、従って、より長い製造時間が必要であり、更に、ガスケットのコストが増大する。
【発明の開示】
【発明が解決しようとする課題】
【０００４】
従って、より大きい設計フレキシビリティを有しコストを低減したガスケットが要求される。
【課題を解決するための手段】
【０００５】
本発明にもとづき、ワイヤスクリーンを含むガスケットを提供する。エラストマー材料でワイヤスクリーンを被覆する。ワイヤスクリーンの使用によって、ガスケットのコストが低減され、他方、耐久性および設計フレキシビリティが改善される。
【０００６】
本発明の更なる適用分野は、以下の詳細な説明から明らかであろう。ここで注意するが、本発明の好ましい実施例を示す詳細な説明および特殊な例は、説明の目的のみを意図するものであり、本発明の範囲の限定を意図するものではない。
【０００７】
本発明は、添付の図面を参照した詳細な説明から更に十分に理解されよう。
【発明を実施するための最良の形態】
【０００８】
好ましい実施例の以下の説明は、実際、単なる例であり、本発明、その適用または用途を制限することを意図するものではない。
【０００９】
図１を参照して説明する。同図に、本発明の原理にもとづくガスケット１０を示した。ここに開示のガスケット１０の形状および寸法は、説明のためのみであり、本出願の範囲を限定しないと云うことが理解されよう。ガスケット１０は、エラストマー材料１４に埋込んだスクリーン１２を含む。
【００１０】
（図２に示した如き）スクリーン１２は、十字に編んだワイヤ１７の間に若干数の開口１６を含み、上記開口にもとづき、上記ワイヤを介するエラストマー材料１４の流動が容易化され、かくして，ガスケット１０が注形される。スクリーン１２は、アルミニム、銅、鋼、炭素繊維、多孔シート（例えば、ＭＹＬＡＲ）または他の適切な材料から構成でき、
エラストマー材料１４の導入の前に所望の形状に前切断でき、あるいは、シート形状とした後に切断できる。スクリーン１２は、第１実施例の場合、約０，２ミリメータ（ｍｍ）−０，３ミリメータ（ｍｍ）の範囲の厚さＴを有する。厚さＴは、概ね、均一である。中央開口１８は、エラストマー材料１４の導入前に中心線Ｃに沿って形成できる。
【００１１】
さて、図２を参照して説明する。同図から明らかな如く、スクリーン１２の第１端部２０は、更に、例えば、ボルトまたはネジの如き第１結合機構（図示してない）を導入受容するための第１開口２２を含むことができる。スクリーン１２は、第２結合機構（図示してない）を受容するための第２開口２６を含むことができる第２端部２４を有する。スクリーン１２は、エラストマー材料１４を被覆した頂部側２８および底部側３０を有する。
【００１２】
続いて図２を参照して、更に、図１，３，４を参照して説明する。エラストマー材料１４は、スクリーン１２の頂部側２８および底部側３０を被覆でき、かくして、スクリーン１２は、エラストマー材料１４に完全に埋込まれ、それぞれ第１端部２０´および第２端部２４´を有するガスケット頂部側２８´および底部側３０´を形成する。スクリーン１２の中央開口１８は、エラストマー材料１４で被覆でき、あるいは、未被覆状態であってよい。
【００１３】
頂部側２８´および底部側３０´の双方は、複数の密封リブ３６，４０，４２を含むことができる。複数の密封リブ３６，４０，４２は、エラストマー材料１４から形成でき、スクリーン１２の中央開口１８を囲むことができる。特に、所定の第１厚さを有する範囲３４は、中央開口１８に直接に隣接するよう形成できる。範囲３４は、第１密封リブ３６に隣接する。第１密封リブ３６は、凹み３８に隣接する。凹み３８は、更に、第２密封リブ４０に隣接する。第２密封リブ４０は、第２凹み４４によって第３密封リブ４２から分離される。第１密封リブ３６は、一般に第２密封リブ４０の高さＨ２よりも大きい高さＨ１を有する。更に、第３密封リブ４２は、一般に第２密封リブ４０の高さＨ２よりも小さい高さＨ３を有する。凹み３８，４４は、下方へ向く力Ｆが、第１，第２，第３密封リブ３６，４０，４２に加えられた際に、第１，第２，第３密封リブ３６，４０，４２が凹み３８，４４内に変形できるよう、設計されている。第１，第２，第３密封リブ３６，４０，４２は、強固な密封状態を保証する。
【００１４】
ガスケット１０の第１端部２０´は、第１結合機構の導入受容のためのスクリーン１２の第１開口２２に対応する第１取付開口４６を含むことができる。第１取付開口４６は、
第１エラストマー緩衝範囲４８を形成するためスクリーン１２の第１開口２２を越えて延びるよう構成できる。同様に、ガスケット１０の第２端部２４´は、第２結合機構の導入受容のためのスクリーン１２の第２開口２６に対応する第２取付開口５０を含むことができる。更に、第２取付開口５０は、第２エラストマー緩衝範囲５２を形成するためスクリーン１２の第２開口２６を越えて延びることができる。第１，第２エラストマー緩衝範囲４８，５２は、第１，第２結合機構に対して強固な密封状態を保証する。スクリーンの開口を形成するための切断操作の前に、スクリーン１２をエラストマー材料で完全に被覆できると云うことが理解されよう。
【００１５】
第１隆起部分またはシェル５４は、ガスケット１０の頂部側２８´および底部側３０´の双方に第１取付開口４６に隣接させて形成できる。同じく、第２隆起部分またはシェル５６は、ガスケット１０の頂部側２８´および底部側３０´の双方に第２取付開口５０に隣接させて形成できる。第１隆起部分５４および第２隆起部分５６は、ガスケット１０に整合し、かくして、更に、強固な密封状態を保証する部分（図示してない）のたわみを阻止する支えを形成する。
【００１６】
エラストマー材料は、アクリルニトリル（ＡＣＮ）含量の低いニトリルゴム（ＮＢＲ），ＡＣＮ含量が中程度のＮＢＲ，ＡＣＮ含量の高いＮＢＲ，ブチルクロロブチル，クロロプレン，クロロスルホン酸ポリエチレン，エチレンプロピレン，エピクロルヒドリン，エチレン酢酸ビニル，フルオロシリコーン，フルオロカーボン，水素添加ＮＢＲ，ポリイソプレン，ポリアクリレート，プロピレンオキシド，ポリブタジェン，ポリスルフィド，改質ＮＢＲ，シリコーン、スチレンブタジェンゴム（ＳＢＲ）または任意の機能強化ポリマーまたは熱可塑性エラストマーを含むことができる。
【００１７】
本発明のガスケット１０を形成するため、スクリーン１２を型キャビティ（図示してない）内に設置する。スクリーン１２は、所定の形状またはシート形状であってよい。次いで、エラストマー材料１４を型キャビティ内に注入する。次いで、エラストマー材料１４は、開口１６を介してスクリーン１２に流入し、実質的に、ガスケット１０の頂部側２８´および底部側３０´を形成するスクリーン１２の頂部および底部を被覆する。この実施例の場合、型キャビティは、エラストマー材料１４が中央開口１８のまわりに流れるよう構成されているが、以降の操作工程において中央開口１８を形成することも考えられる。同様に、型キャビティは、エラストマー材料１４が流動して第１，第２取付開口４６，５０を形成できるよう、構成できるが、第１，第２取付開口４６，５０は、以降の操作工程において形成できる。更に、型キャビティは、過剰のエラストマー材料１４が第１，第２，第３密封リブ３６，４０，４２を形成するよう、構成できる。更に、型キャビティは、過剰のエラストマー材料１４が第１，第２取付開口４６，５０に隣接する第１隆起部分５４および第２隆起部分５６を形成できるよう、構成できる。
【００１８】
本発明のガスケット１０は、スクリーン１２の使用にもとづき、慣用のガスケットの重量およびコストを低減する。スクリーン１２は、圧縮制限特徴を有するガスケット１０を提供し、他方、ガスケット１０の厚さを減少できる。更に、スクリーン１２にもとづき、任意の所望の設計変更に適合するようガスケット１０の形状を容易に変更できる。更に、スクリーン１２の使用にもとづき、十分な密封状態の創成に必要なトルク量が減少される。更に、スクリーン１２を被覆するエラストマー材料１４は、一般に、ガスケットに慣用されるエラストマー材料よりも、耐久性であり、高強度であり、加工し易い。
【００１９】
本発明の説明は、実際、単なる例であり、従って、本発明の骨子から出ることのない変更は、本発明の枠内にあると云える。このような変更は、本発明の意図および範囲からの逸脱とはみなされない。
【図面の簡単な説明】
【００２０】
【図１】本発明の原理にもとづくエラストマーを被覆したスクリーンガスケットの略図である。
【図２】本発明のガスケットに使用するワイヤスクリーンの略図である。
【図３】図１の線３−３に沿う断面図である。
【図４】図３の部分３の拡大図である。
【符号の説明】
【００２１】
１０    ガスケット
１２    スクリーン
１４    エラストマー材料
１６    開口
１８    中央開口
【図１】
2006010075.tif 000003
【図２】
2006010075.tif 000004
【図３】
2006010075.tif 000005
【図４】
2006010075.tif 000006
【外国語明細書】
2006010075.tif 000007
2006010075.tif 000008
2006010075.tif 000009
2006010075.tif 000010
2006010075.tif 000011
2006010075.tif 000012
2006010075.tif 000013
2006010075.tif 000014
2006010075.tif 000015
2006010075.tif 000016
2006010075.tif 000017
2006010075.tif 000018
2006010075.tif 000019
2006010075.tif 000020
2006010075.tif 000021